(57)【要約】　　　（修正有）【課題】身体の動きや姿勢の変化があった場合にも、一定位置に生理用ナプキンを止めておくことができ、着用に違和感がなく、縫い目が外部から見えないようにしたショーツを提供する。【解決手段】前身頃と、後身頃と、前身頃の上縁部と後身頃の上縁部とで形成された胴回り部と、前身頃の両側縁と後身頃の両側縁との接合部により形成される一対の脚開口部とを備えたショーツにおいて、前身頃１０の内側中央部から後身頃２０の上縁部に渡って伸縮性素材で形成した吊下げ部３０を設ける。このようにすれば、ショーツを着用した場合に、ナプキンＮＰの中央部が股部側に押し上げられて凸状に変形するので、ナプキンが身体に密着し、身体の動きによるズレを防止することが可能となり、経血を効率良く吸収することができる。【選択図】　　図１
2004068203.tif 000002
【特許請求の範囲】
【請求項１】
前身頃と、後身頃と、該前身頃の上縁部と後身頃の上縁部とで形成された胴回り部と、前記前身頃の両側縁と後身頃の両側縁との接合部により形成される一対の脚開口部とを備えてなるショーツにおいて、
前記前身頃の内側中央部から前記後身頃の上縁部にわたって伸縮性素材で形成した吊下げ部を設けたことを特徴とするショーツ。
【請求項２】
請求項１記載のショーツにおいて、
前記吊下げ部は、前記前身頃側が後身頃側より幅広であり、前記前身頃から後身頃側にかけて徐々に幅を狭くして最細部を形成し、該最細部から徐々に幅を広くして前記後身頃側に至ることを特徴とするショーツ。
【請求項３】
請求項１または請求項２記載のショーツにおいて、
前記前身頃と後身頃の縫合部を、ヒラニにより縫合したことを特徴とするショーツ。
【請求項４】
請求項１〜請求項３のいずれか一つに記載のショーツにおいて、
前記後身頃を、モールド加工により立体的に形成してなることを特徴とするショーツ。
【請求項５】
請求項１〜請求項４のいずれか一つに記載のショーツにおいて、
前記脚開口部の内側周囲にテープを熱接着し、花びら状にカットしてなることを特徴とするショーツ。
【発明の詳細な説明】
【０００１】
【発明の属する技術分野】
本発明は、ショーツに関し、特に、身体の動きや姿勢の変化があった場合にも、一定位置に生理用ナプキンを止めておくことができ、着用に違和感がなく、縫い目が外部から見えないようにしたショーツに関する。
【０００２】
【従来の技術】
生理用ショーツは、スポーツ時や就寝時に、身体の動きや姿勢の変化等による経血の横漏れや外部への浸み出し等を、防止する必要がある。
また、従来の生理用ナプキンをショーツに装着する手段としては、例えば、ショーツの股布部の中心にシャーリングを入れて生理用ナプキンが滑り難くしたものや、股布部に伸縮性のあるゴムを縫着して生理用ナプキンを肌に押さえつけるようにしたものがある。さらに、Ｔバックショーツの細幅部に生理用ナプキンを巻き付けて装着する場合もある。
【０００３】
【発明が解決しようとする課題】
しかしながら、前記シャーリングを入れる手段やゴムを縫着する手段は、例えば、スポーツ時等の動きの激しい場合には、完全に一定の位置に生理用ナプキンを止めておくことができない。
また、前記Ｔバックショーツの細幅部に巻き付ける手段は、Ｔバックショーツの着用に違和感がある女性には不向きである。
さらに、生理用ショーツを着用し、その上にピッタリしたスカートやスラックスを着用した場合には、尻部の縫い目が外部から見えないようにする必要がある。
【０００４】
本発明は、上記の事情に鑑みてなされたもので、身体の動きや姿勢の変化があった場合にも、一定位置に生理用ナプキンを止めておくことができ、着用に違和感がなく、縫い目が外部から見えないようにしたショーツの提供を目的とする。
【０００５】
【課題を解決するための手段】
上記目的を達成するため請求項１記載の発明は、前身頃と、後身頃と、該前身頃の上縁部と後身頃の上縁部とで形成された胴回り部と、前記前身頃の両側縁と後身頃の両側縁との接合部により形成される一対の脚開口部とを備えてなるショーツにおいて、
前記前身頃（図１の符号１０）の内側中央部から前記後身頃２０の上縁部２４にわたって伸縮性素材で形成した吊下げ部３０を設けた構成としてある。
【０００６】
このようにすれば、例えば、図１（Ａ），（Ｂ）に示すように、接合部６０ｄと接合部６０ｃとの間に吊下げ部３０を宙吊り状態で接合してあり、股部（会陰部）の位置にナプキンＮＰのウイング７１ａ，７１ｂを巻き付け、身体に装着する。従って、ショーツＳＴを着用した場合に、ナプキンＮＰの中央部が股部側に押し上げられて凸状に変形するので、ナプキンＮＰが身体に密着し、身体の動きによるズレを防止することが可能となり、また、経血を効率良く吸収することができる。
【０００７】
次に請求項２記載の発明は、請求項１記載のショーツにおいて、
前記吊下げ部は、前記前身頃側が後身頃側より幅広であり、前記前身頃から後身頃側にかけて徐々に幅を狭くして最細部を形成し、該最細部から徐々に幅を広くして前記後身頃側に至る構成としてある。
このようにすれば、ショーツＳＴを着用した際に、細幅部３４（図３（Ｃ）参照）が尻の谷間に入り易くなり、ナプキンＮＰが安定する。
【０００８】
次に請求項３記載の発明は、請求項１または請求項２記載のショーツにおいて、
前記前身頃と後身頃の縫合部を、ヒラニにより縫合した構成としてある。
このようにすれば、接合部の厚みを薄く押さえることができ、ピッタリしたスラックス等を着用した場合に生じる縫代（縫い目）の厚みによる身体への圧迫を無くすことができ、更にショーツの外縁（パンティライン）を目立たなくすることができる。
【０００９】
次に請求項４記載の発明は、請求項１〜請求項３のいずれか一つに記載のショーツにおいて、
前記後身頃を、モールド加工により立体的に形成してなる構成としてある。
このようにすれば、立体的に形成することによりヒップを包み込むようになるので、ヒップを美しく見せ、動きによるショーツの食い込みを避けることができる。
【００１０】
次に請求項５記載の発明は、請求項１〜請求項４のいずれか一つに記載のショーツにおいて、
前記脚開口部の内側周囲にテープを熱接着し、花びら状にカットしてなる構成としてある。
このようにすれば、花びら状のカットとゴムを使用しないことにより、ピッタリしたスラックス等を着用した場合に、ショーツの外縁（パンティライン）を目立たなくすることができる。
【００１１】
【発明の実施の形態】
以下、本発明を図示の実施形態に基づいて説明する。
図１は本実施形態のショーツＳＴを示す図であって、（Ａ）はショーツが身体に装着される立体形状の外観斜視図、（Ｂ）はＡ−Ａ線に沿う断面図である。
図２（Ａ）は本実施形態の前面図、図２（Ｂ）は後面図である。
図３は本実施形態の各構成部材の展開平面図であって、（Ａ）は前身頃、（Ｂ）は後身頃、（Ｃ）は吊り下げ部である。
図１（Ａ），（Ｂ）に示すように、ショーツＳＴは、前身頃１０と、後身頃２０と、吊下げ部３０とからなる。
これら前身頃１０と後身頃２０と吊下げ部３０の材質は、伸縮性素材のポリエステル，ナイロン，ポリウレタン等により、形成する。
【００１２】
次に、それぞれの構成部材を、図３（Ａ）〜（Ｃ）を参照しつつ説明する。
先ず、前身頃１０は、図３（Ａ）に示すように、布材を二枚重ねて形成し、腹部を軽く押さえるようにする。このようにすれば、生理時の下腹部の出っ張りを押さえることができる。
また、前身頃１０の上下には上縁部１４と下縁部１２とを形成し、中心線Ｏ−Ｏの左右に、それぞれ側縁部１１ａ，１１ｂと湾曲部１３ａ，１３ｂとを形成する。
前身頃１０の上縁部１４と湾曲部１３ａ，１３ｂは、それぞれ花びら状にカットする。このようにするのは、肌触りを良くするためと、ピッタリしたスラックス等を着用した場合に、ショーツの外縁（パンティライン）を目立たなくするためである。
【００１３】
次に、後身頃２０は、図３（Ｂ）に示すように、上下に上縁部２４と下縁部２２とを形成し、また、中心線Ｏ−Ｏの左右に、それぞれ側縁部２１ａ，２１ｂと湾曲部２３ａ，２３ｂとを形成する。
後身頃２０の湾曲部２３ａ，２３ｂに沿って、それぞれ後身頃２０と同一素材の伸縮性テープ２５ａ，２５ｂを熱接着により接合し、花びら状にカットする。このようにするのは、肌触りを良くするためと、強度を高めるためと、ピッタリしたスラックス等を着用した場合に、ショーツの外縁（パンティライン）を目立たなくするためである。
【００１４】
また、後身頃２０の尻当て部２６はマチはぎ無しで、ピッタリしたスラックス等を着用した場合に、はぎ目が表面に出ることがない。また、ヒップを美しく見せるためにヒップを包み込むように、モールド加工し立体的に形成する。立体的に形成すれば、身体の動きに合った形態となる。
上縁部２４と湾曲部２３ａ，２３ｂは、熱接着の後、花びらのようにカットする。肌触りを良くするためと、強度を高めるためである。
【００１５】
次に、吊下げ部３０は、図３（Ｃ）に示すように、伸縮性素材で形成した細長い帯状をなし、長手方向の両端に上縁部３１と下縁部３２を形成する。この吊下げ部３０のほぼ中央部に、生理用のナプキンＮＰを使用する（図１（Ａ）参照、後述）。
また、中心線Ｏ−Ｏの左右に滑らかな湾曲部３３ａ，３３ｂを形成し、ほぼ中央部にわたって細幅部３４を形成する。細幅としたのは、ショーツＳＴを着用した際に、細幅部３４が尻の谷間に入り易くするためである。細幅部３４の寸法は、１５ｍｍ前後が好ましい。
【００１６】
また、吊下げ部３０の下縁部３２側に向けて滑らかな扇状部３５を形成し、該扇状部３５の中心線Ｏ−Ｏ側にやや薄手の三角部３６を形成する。三角部３６をやや薄手としたのは、透湿性を高めるためである。
吊下げ部３０の下縁部３２の幅寸法は、８０〜９０ｍｍが好ましい。幅が広すぎると鼠蹊部との摩擦が増え、狭すぎると生理用ナプキンの固定が不安定となるからである。
また、吊下げ部３０の上縁部３１の幅寸法は、３５ｍｍ前後が好ましい。狭すぎると後身頃２０に熱接着した場合に（後述）、強度を確保できないからである。また、広すぎると、細幅部３４との幅差が大きくなり、尻の谷間にスムーズに入り込まないからである。
【００１７】
次に、以上のように構成した前身頃１０，後身頃２０，吊下げ部３０の接合方法を説明する。
図１〜図３に示すように、前身頃１０の左右の側縁部１１ａ，１１ｂと、後身頃２０の左右の側縁部２１ａ，２１ｂとを、それぞれ脚開口部４０ａ，４０ｂの上方の接合部６０ａ，６０ｂで接合する。
また、後身頃２０の上縁部２４の中心部（図１の接合部６０ｄ）で、吊下げ部３０の上縁部３１を伸縮性テープ２４ａで熱接着により接合した状態にする（図３（Ｂ）参照）。この接合状態で、吊下げ部３０の下縁部３２と、前身頃１０の下縁部１２と、後身頃２０の下縁部２２の三者を同時に接合部６０ｃでヒラニ（後述）により縫合して、胴回り部５０および左右の脚開口部４０ａ，４０ｂを有するショーツＳＴを形成する。
【００１８】
前記三か所の接合部６０ａ，６０ｂ，６０ｃの接合方法は、ヒラニ（二本の糸を縦糸とし、横に往復させながら縫う縫い方）によって縫う。ヒラニにしているので、接合部の厚みを薄く押さえることができ、ピッタリしたスラックス等を着用した場合に生じる、縫代の厚みによる身体への圧迫をなくすことができ、また、ショーツの外縁（パンティライン）を目立たなくすることができる。
ここに、吊下げ部３０は、図１（Ｂ）に示すように、胴回り部５０の接合部６０ｄと、前身頃１０の下縁部１２と後身頃２０の下縁部２２との接合部６０ｃとの、二箇所のみで接合してあり、吊下げ部３０のその他の箇所は接合していない。つまり、吊下げ部３０を、宙吊り状態でショーツＳＴに接合する
【００１９】
そして、宙吊状態の吊下げ部３０における、股部（会陰部）の位置にナプキンＮＰのウイング７１ａ，７１ｂを巻き付け、身体に装着する。
このようにすれば、ショーツＳＴを着用した場合に、吊下げ部３０は伸縮性素材で形成しており、吊下げ部３０の細幅部３４によりナプキンＮＰの中央部が股部側に押し上げられて凸状に変形するので、ナプキンＮＰが身体に密着し、身体の動きによるズレを防止することが可能となり、また、経血を効率良く吸収することができる。
【００２０】
また、前記接合部６０ｃの位置を下腹部に設けることにより、吊下げ部３０の長さを短かくすることができるので、身体の動きに対して安定させることができる。また、吊下げ部３０の下縁部側の幅を広くすることにより（図３（Ｃ）参照）、ナプキン全体を身体に密着させることができるので、経血の横漏れを防止する効果がある。更に、ウィング無しのナプキンの使用時であっても、前述と同様の効果が得られる。
【００２１】
なお、本実施形態ではショーツと生理用ナプキンとを組み合わせて生理用ショーツとして使用する場合を説明したが、生理用ナプキンを使用しない通常のショーツとしても使用可能であるのは勿論である。
【００２２】
＜変形例＞
図４（Ａ）は本変形例の外観斜視図、図４（Ｂ）は本変形例の展開図である。
本変形例は吊下げ部の幅を広くし、その幅広の部分に補助布を接合した場合である。
図４（Ａ），（Ｂ）に示すように、吊下げ部３０Ａの下腹部側の幅を広く形成する。そして、この幅広の部分に細長いほぼ三角形の木綿製の補助布８０を接合する。
【００２３】
このようにすれば、ポリエステル，ナイロン，ポリウレタン等の素材より補助布は肌に優しいので、肌の弱い女性が生理でない場合にも補助布付きのショーツＳТ１を着用することが可能となる。
また、吊下げ部を幅広に構成したので、ナプキンを使用する場合には、例えばウィング付きのナプキン（図１（Ａ）参照）やウィング無しのナプキン（図示省略）等、各種のナプキンを装用することができる。
【００２４】
【発明の効果】
以上説明したように本発明によれば、以下の効果を発揮することができる。
吊り下げ部に生理用ナプキンを巻き付けて装着するので、身体の動きや姿勢の変化があった場合にも、一定位置に生理用ナプキンを止めておくことができる。また、Ｔバックショーツの尻の谷間に入る箇所がショーツ本体の内部に形成されているので、Ｔバックショーツの着用に違和感を持つ人でも、本発明のショーツの着用に違和感を持つことが少なくなる。
また、前身頃と後身頃の接合部（縫合部）をヒラニにしているので、ピッタリしたスラックス等を着用しても、縫い目が外部から目立たない。
【図面の簡単な説明】
【図１】本発明の実施形態のショーツを示す図であって、（Ａ）はショーツが身体に装着された状態の立体形状の外観斜視図、（Ｂ）はＡ−Ａ線に沿う断面図である。
【図２】（Ａ）は同実施形態の前面図、図２（Ｂ）は後面図である。
【図３】同実施形態の各構成部材の展開平面図であって、（Ａ）は前身頃、（Ｂ）は後身頃、（Ｃ）は吊り下げ部である。
【図４】同実施形態の変形例のショーツを示す図であって、（Ａ）はショーツが身体に装着された状態の立体形状の外観斜視図、（Ｂ）は展開図である。
【符号の説明】
ＳＴ　ショーツ
ＳТ１　補助布付きのショーツ
ＮＰ　ナプキン
１０　前身頃
１１ａ，１１ｂ　前身頃の側縁部
１２　前身頃の下縁部
１３ａ，１３ｂ　前身頃の湾曲部
１４　上縁部
２０　後身頃
２１ａ，２１ｂ　後身頃の側縁部
２２　後身頃の下縁部
２３ａ，２３ｂ　後身頃の湾曲部
２４　後身頃の上縁部
２４ａ　伸縮性テープ
２５ａ，２５ｂ　伸縮性テープ
２６　尻当て部
３０　吊下げ部
３１　吊下げ部の上縁部
３２　吊下げ部の下縁部
３３ａ，３３ｂ　吊下げ部の湾曲部
３４　細幅部
３５　扇状部
３６　三角部
４０ａ，４０ｂ　脚開口部
５０　胴回り部
６０ａ〜６０ｄ　接合部
７１ａ，７１ｂ　ナプキンのウイング
８０　補助布
【図１】
2004068203.tif 000003
【図２】
2004068203.tif 000004
【図３】
2004068203.tif 000005
【図４】
2004068203.tif 000006